(57)【特許請求の範囲】
【請求項１】
監視対象に関する複数項目の検査データとして、前記複数項目すべてに対する良否判定情報と、前記複数項目の中の特定の項目に対する計測数値情報とを入力するための検査データ入力装置において、
前記複数項目のタイトル情報を記憶する項目情報記憶部と、
前記良否判定情報を音声入力することが指定されると、前記項目情報記憶部に記憶された先頭のタイトル情報を出力し、出力したタイトル情報の項目について音声情報による良否判定情報を認識すると当該項目の良否判定情報として入力して次の項目のタイトル情報を出力させる処理を繰り返すことで、すべての項目に関して良否判定情報を入力し、
前記計測数値情報を音声入力することが指定されると、前記項目情報記憶部に記憶された先頭のタイトル情報を出力し、出力したタイトル情報の項目について音声情報による計測数値情報を認識すると当該項目の計測数値情報として入力して次の項目のタイトル情報を出力し、出力したタイトル情報の項目について音声情報により次の項目が指定されると、出力中の項目の計測数値情報を入力せずに次の項目のタイトル情報を出力する処理を繰り返すことで、特定の項目に対する計測数値情報を入力する検査データ処理部と
を備えることを特徴とする検査データ入力装置。
【請求項２】
前記検査データ処理部は、音声入力することが指定され、前記複数項目のうちいずれかの項目のタイトル情報を出力したときに、音声情報により前の項目が指定されると、出力中の項目の１つ前の項目のタイトル情報を出力し、該当する項目から情報の入力処理を継続して行う
ことを特徴とする請求項１に記載の検査データ入力装置。
【請求項３】
前記検査データ処理部は、前記複数項目の検査データの入力処理を複数回実行し、前記複数項目のうち、前回の検査データ入力処理時に計測数値情報を入力しなかった項目を保持し、新たに計測数値情報の入力処理を行うときに、保持した項目を除いて次に出力するタイトル情報を特定する
ことを特徴とする請求項１または２に記載の検査データ入力装置。
【請求項４】
前記検査データ処理部は、前記複数項目の検査データの入力処理を複数回実行し、前記複数項目のうち、過去に所定回数以上、検査データ入力処理時に計測数値情報を入力しなかった項目を保持し、新たに計測数値情報の入力処理を行うときに、保持した項目を除いて次に出力するタイトル情報を特定する
ことを特徴とする請求項１または２に記載の検査データ入力装置。
【請求項５】
監視対象に関する複数項目の検査データとして、すべての項目に対する良否判定情報と、特定の項目に対する計測数値情報とを入力するための検査データ入力装置が、
前記複数項目のタイトル情報を記憶し、
前記良否判定情報を音声入力することが指定されると、記憶したタイトル情報のうち先頭のタイトル情報を出力し、出力したタイトル情報の項目について音声情報による良否判定情報を認識すると当該項目の良否判定情報として入力して次の項目のタイトル情報を出力させる処理を繰り返すことで、すべての項目に関して良否判定情報を入力し、
前記計測数値情報を音声入力することが指定されると、記憶したタイトル情報のうち先頭のタイトル情報を出力し、出力したタイトル情報の項目について音声情報による計測数値情報を認識すると当該項目の計測数値情報として入力して次の項目のタイトル情報を出力させ、出力したタイトル情報の項目について音声情報により次の項目が指定されると、出力中の項目の計測数値情報を入力せずに次の項目のタイトル情報を出力する処理を繰り返すことで、特定の項目に対する計測数値情報を入力する
ことを特徴とする検査データ入力方法。
【発明の詳細な説明】
【技術分野】
【０００１】
本発明の実施形態は、検査データ入力装置および検査データ入力方法に関する。
【背景技術】
【０００２】
従来、エレベータ等の状態を監視するための保守点検においては、数百個にものぼる多数の項目に関して作業員が検査を行い、それぞれの良否判定情報や計測数値情報等の検査データを管理装置に入力して管理している。これらの検査データは、作業員が携帯する入力装置を用いて手動で入力し、管理装置に送信している。
【先行技術文献】
【特許文献】
【０００３】
【特許文献１】特開２０００−１２７４号公報
【特許文献２】特開２００１−１７１９３４号公報
【発明の概要】
【発明が解決しようとする課題】
【０００４】
上述した入力装置を用いて作業員が検査データを入力する際、検査項目が膨大であることから、すべての情報を手動で入力するには多大な時間と労力を要する。また、従来の入力装置では、所定項目に関する良否判定情報の入力画面で情報が入力されると、自動的に当該項目の計測数値情報に関する入力画面に遷移するように設定されている。しかし、項目によっては必要な入力情報が良否判定情報のみで、計測数値情報は入力不要の場合もあり、このような項目についても良否判定情報の入力画面に続いて計測数値情報の入力画面が表示されると、当該計測数値情報の入力をスキップして次の項目の良否判定情報の入力画面に遷移させるための操作が必要になり、操作数が多くなるという問題があった。
【０００５】
本発明は上記事情に鑑みてなされたものであり、監視対象に関する複数項目の検査データを効率良く入力することが可能な、検査データ入力装置および検査データ入力方法の提供を目的とする。
【課題を解決するための手段】
【０００６】
上記目的を達成するための実施形態によれば、複数項目の検査データとして良否判定情報と計測数値情報とを入力する検査データ入力装置は、良否判定情報を音声入力することが指定されると複数項目のタイトル情報を順次出力し、出力したタイトル情報の項目について音声情報による良否判定情報を認識すると当該項目の良否判定情報として入力する。また、計測数値情報を音声入力することが指定されると複数項目のタイトル情報を順次出力し、出力したタイトル情報の項目について音声情報による計測数値情報を認識すると当該項目の計測数値情報として入力し、出力したタイトル情報の項目について音声情報により次の項目が指定されると、出力中の項目の計測数値情報を入力せずに次の項目のタイトル情報を出力する。
【図面の簡単な説明】
【０００７】
【図１】一実施形態による検査データ入力装置を利用した監視システムの構成を示すブロック図。
【図２】一実施形態による検査データ入力装置で良否判定情報を入力する際の動作を示すフローチャート。
【図３】一実施形態による検査データ入力装置で計測数値情報を入力する際の動作を示すフローチャート。
【図４】一実施形態による検査データ入力装置の表示装置に表示された、（ａ）入力方法選択画面の画面構成図、（ｂ）入力内容選択画面の画面構成図。
【発明を実施するための形態】
【０００８】
〈一実施形態による検査データ入力装置を利用した監視システムの構成〉
本発明の一実施形態による検査データ入力装置を利用した監視システムの構成について、図１を参照して説明する。本実施形態による監視システム１は、エレベータの保守点検を行う作業員が携帯する検査データ入力装置１０と、検査データ入力装置１０に無線接続された管理装置２０とを備える。
【０００９】
検査データ入力装置１０は、エレベータに関する複数項目の検査データとして、複数項目に対する良否判定情報および計測数値情報を入力する装置であり、操作キー１１と、マイク装置１２と、表示装置１３と、スピーカ装置１４と、画面情報記憶部１５と、項目情報記憶部１６と、検査データ処理部１７と、入力情報記憶部１８と、データ通信部１９とを有する。
【００１０】
操作キー１１は、作業員の手動操作による情報を入力する。マイク装置１２は、作業員の音声を入力する。表示装置１３は、検査データ処理部１７で処理された情報を表示させる。スピーカ装置１４は、検査データ処理部１７で処理された音声情報を出力する。
【００１１】
画面情報記憶部１５は、検査データの入力処理を実行する際に、表示装置１３に表示させる各種画面の情報を記憶する。具体的には、後述する入力方法選択画面Ｐ1および入力内容選択画面Ｐ2の表示情報を記憶する。項目情報記憶部１６は、監視対象のエレベータに関する検査項目のタイトル情報を、検査内容によって分類された区分ごとに記憶する。具体的には、区分Ａに属する項目ａ1、ａ2、ａ3・・・、区分Ｂに属する項目ｂ1、ｂ2、ｂ3・・・、区分Ｃに属する項目ｃ1、ｃ2、ｃ3・・・を記憶する。
【００１２】
検査データ処理部１７は、操作キー１１で良否判定情報の音声入力を指定する操作が行われると、複数項目のタイトル情報を表示装置１３およびスピーカ装置１４から順次出力させる。そして、タイトル情報を出力させた項目についてマイク装置１２から入力された音声情報による良否判定情報を認識すると、当該項目の良否判定情報として入力する。
【００１３】
また検査データ処理部１７は、操作キー１１で計測数値情報の音声入力を指定する操作が行われると、複数項目のタイトル情報を表示装置１３およびスピーカ装置１４から順次出力させる。そして、タイトル情報を出力させた項目についてマイク装置１２から入力された音声情報による計測数値情報を認識すると、当該項目の計測数値情報として入力する。また、タイトル情報を出力した項目について音声情報により次の項目が指定されると、出力中の項目の計測数値情報を入力せずに次の項目のタイトル情報を出力する。
【００１４】
入力情報記憶部１８は、検査データ処理部１７により入力された各項目の良否判定情報および計測数値情報を記憶する。データ通信部１９は、管理装置２０との無線通信を行う。
【００１５】
〈一実施形態による検査データ入力装置を利用した監視システムの動作〉
次に、本実施形態による監視システム１の動作について、図２および図３のフローチャートおよび図４の画面構成図を参照して説明する。まず、作業員が検査データ入力装置１０の操作キー１１でエレベータの保守点検作業による検査データの入力作業開始操作を行うと（Ｓ１の「YES」）、検査データ処理部１７により画面情報記憶部１５から入力方法選択画面Ｐ1の情報が取得され、図４（ａ）に示すように表示装置１３に表示される（Ｓ２）。入力方法選択が画面Ｐ1には、検査データを手動操作で入力することを指定するための「手入力」ボタン１３１と、音声入力することを指定するための「音声入力」ボタン１３２とが含まれる。
【００１６】
表示された入力方法選択画面Ｐ1で「音声入力」ボタン１３２を選択する操作が行われることにより音声入力が指定されると（Ｓ３の「YES」）、図４（ｂ）に示す入力内容選択画面Ｐ2が表示される。入力内容選択画面Ｐ2には、「良否判定情報入力」ボタン１３３と、「計測数値情報入力」ボタン１３４とが含まれる。
【００１７】
表示された入力内容選択画面Ｐ2でまず「良否判定情報入力」ボタン１３３が操作されて良否判定情報入力が指定されると（Ｓ５の「YES」）、検査データ処理部１７により、項目情報記憶部１６に記憶されている情報のうち、先頭のタイトル情報が取得され、表示装置１３に表示される（Ｓ６）。ここでは、先頭のタイトル情報として、先頭の区分Ａの項目ａ1のタイトル情報が取得され、表示される。また、スピーカ装置１４からも、当該項目ａ1のタイトル情報の音声情報が出力される。
【００１８】
項目ａ1のタイトル情報が表示されているときに、作業者が「良」または「否」の音声情報を発すると、当該音声情報がマイク装置１２から入力され、検査データ処理部１７で認識される（Ｓ７の「YES」）。検査データ処理部１７で当該音声情報が認識されると、当該項目ａ1に関する良否判定情報として入力される。入力された項目ａ1の良否判定情報は、入力情報記憶部１８に記憶される（Ｓ８）。
【００１９】
項目ａ1の良否判定情報が入力および記憶されると、検査データ処理部１７において、すべての項目の良否判定情報の入力処理が終了したか否かが判定される（Ｓ９）。ここではまだすべての項目の良否判定情報の入力処理が終了していないため（Ｓ９の「NO」）、次の項目ａ2に関する入力処理に移り、該当するタイトル情報が項目情報記憶部１６から取得され、表示装置１３に表示される。また、スピーカ装置１４からも、当該項目ａ2のタイトル情報の音声情報が出力される（Ｓ１０）。
【００２０】
項目ａ2のタイトル情報が表示されているときに、作業者が「良」または「否」の音声情報を発すると、当該音声情報がマイク装置１２から入力され、検査データ処理部１７で認識される（Ｓ７の「YES」）。検査データ処理部１７で当該音声情報が認識されると、当該項目ａ2に関する良否判定情報として入力され、入力情報記憶部１８に記憶される（Ｓ８）。
【００２１】
このようにしてステップＳ７〜Ｓ１０の処理が繰り返され、すべての区分の項目（区分Ａの項目ａ1、ａ2、ａ3・・・、区分Ｂの項目ｂ1、ｂ2、ｂ3・・・、区分Ｃの項目ｃ1、ｃ2、ｃ3・・・）に対して順次良否判定情報が入力され記憶される。すべての項目の良否判定情報の入力処理が完了すると（Ｓ９の「YES」）、表示装置１３の表示が入力内容選択画面Ｐ2に戻る。
【００２２】
図３のフローチャートに移り、入力内容選択画面Ｐ2で「計測数値情報入力」ボタン１３４が操作されて計測数値情報入力が指定されると（Ｓ１１の「YES」）、検査データ処理部１７により、項目情報記憶部１６に記憶されている情報のうち、先頭のタイトル情報が取得され、表示装置１３に表示される（Ｓ１２）。ここでは、先頭のタイトル情報として、最初の区分Ａの項目ａ1のタイトル情報が取得され、表示される。また、スピーカ装置１４からも、当該項目ａ1のタイトル情報の音声情報が出力される。
【００２３】
項目ａ1のタイトル情報が表示されているときに、作業者が計測数値を読み上げた音声情報を発すると、当該音声情報がマイク装置１２から入力され、検査データ処理部１７で認識される（Ｓ１３）。検査データ処理部１７で数値の音声情報が認識されると、当該項目ａ1に関する計測数値情報として入力される。入力された項目ａ1の良否判定情報は、入力情報記憶部１８に記憶される（Ｓ１４）。
【００２４】
項目ａ1の計測数値情報が入力および記憶されると、検査データ処理部１７において、すべての項目の計測数値情報の入力処理が終了したか否かが判定される（Ｓ１５）。ここではまだすべての項目の良否判定情報の入力処理が終了していないため（Ｓ１５の「NO」）、次の項目ａ2に関する入力処理に移り、該当するタイトル情報が項目情報記憶部１６から取得され、表示装置１３に表示される。また、スピーカ装置１４からも、当該項目ａ2のタイトル情報の音声情報が出力される（Ｓ１６）。
【００２５】
項目ａ2のタイトル情報が表示されているときに、作業者が計測数値を読み上げた音声情報を発すると、当該音声情報がマイク装置１２から入力され、検査データ処理部１７で認識される（Ｓ１３の「YES」）。検査データ処理部１７で当該音声情報が認識されると、当該項目ａ2に関する計測数値情報として入力され、入力情報記憶部１８に記憶される（Ｓ１４）。
【００２６】
計測数値情報の入力処理中、ステップＳ１３において、いずれかの項目のタイトル情報が表示されているときに、作業者が「次」を指定する音声情報を発すると、当該音声情報がマイク装置１２から入力され、検査データ処理部１７で認識される（Ｓ１７の「YES」）。検査データ処理部１７で当該音声情報が認識されると出力中の項目の計測数値情報は入力されない。ここで、まだすべての項目の計測数値情報の入力処理が完了していなければ（Ｓ１５の「NO」）、次の項目のタイトル情報が取得され、表示装置１３およびスピーカ装置１４から出力される（Ｓ１６）。
【００２７】
このようにしてステップＳ１３〜Ｓ１７の処理が繰り返され、必要な区分の項目に対して計測数値情報が入力され記憶される。すべての項目について計測数値情報に関する処理が完了すると（Ｓ１５の「YES」）、検査データの入力処理が終了される。
【００２８】
ステップＳ３において、音声入力が指定されず（Ｓ３の「NO」）、「音声入力」ボタン１３２が操作されて手動操作による入力が指定されると（Ｓ２１の「YES」）、作業員の手動操作により、すべての項目の良否判定情報と、特定の項目の計測数値情報とが入力される（Ｓ２２）。入力が必要なすべての検査データが入力されると（Ｓ２３の「YES」）、入力処理が終了する。
【００２９】
検査データの入力処理が終了すると、検査データ処理部１７により入力情報記憶部１８に記憶された入力情報が取得され、データ通信部１９から管理装置２０に送信される。管理装置２０では、検査データ入力装置１０から送信された情報を解析することで、当該エレベータの監視を行う。
【００３０】
以上の実施形態によれば、監視対象に関する複数項目の検査データを入力する際に、すべての項目に対して入力が必須の良否判定情報と、特定の項目に対してのみ入力が必須の計測数値情報とを、効率よく入力操作することができる。
【００３１】
上述した実施形態において、検査データ入力装置１０の検査データ処理部１７は、音声入力することが指定され、複数項目のうちいずれかの項目のタイトル情報を出力したときに、音声情報により前の項目が指定されると、出力中の項目の１つ前の項目のタイトル情報を出力し、該当する項目から入力処理を継続して実行可能にしてもよい。このように処理することにより、入力ミスの修正を行うことができる。
【００３２】
また、上述した当該エレベータの保守点検作業は、所定期間ごとに複数回実施され、その都度検査データ入力装置１０で検査データが入力されて管理装置２０に送信される。そして、検査データ入力装置１０の検査データ処理部１７は、計測数値情報の入力処理において、複数項目のうち前回の検査データ入力処理時に計測数値情報を入力しなかった項目の情報を保持しておき、新たに計測数値の情報を入力するときに、上述したステップＳ１６において、保持した項目を除いて次に出力するタイトル情報を特定するようにしてもよい。または、過去に所定回数以上、検査データ入力処理時に計測数値情報を入力しなかった項目の情報を保持しておき、新たに計測数値の情報を入力するときに、保持した項目を除いて、次に出力するタイトル情報を特定するようにしてもよい。
【００３３】
また、入力処理中に、周囲の雑音が多く、作業者の音声が検査データ入力装置１０で正しく認識されなくなったときには、作業者が表示装置１３に入力方法選択画面Ｐ1を表示させ、「手入力」ボタン１３１を操作して手動操作で入力するように途中で切り替えることも可能である。
【００３４】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３５】
１…監視システム、１０…検査データ入力装置、１１…操作キー、１２…マイク装置、１３…表示装置、１４…スピーカ装置、１５…画面情報記憶部、１６…項目情報記憶部、１７…検査データ処理部、１８…入力情報記憶部、１９…データ通信部、２０…管理装置、１３１…「手入力」ボタン、１３２…「音声入力」ボタン、１３３…「良否判定情報入力」ボタン、１３４…「計測数値情報入力」ボタン
【要約】
【課題】  監視対象に関する複数項目の検査データを効率良く入力することが可能な、検査データ入力装置および検査データ入力方法の提供を提供する。
【解決手段】  実施形態によれば、複数項目の検査データとして良否判定情報と計測数値情報とを入力する検査データ入力装置は、良否判定情報を音声入力することが指定されると複数項目のタイトル情報を順次出力し、出力したタイトル情報の項目について音声情報による良否判定情報を認識すると当該項目の良否判定情報として入力する。また、計測数値情報を音声入力することが指定されると複数項目のタイトル情報を順次出力し、出力したタイトル情報の項目について音声情報による計測数値情報を認識すると当該項目の計測数値情報として入力し、出力したタイトル情報の項目について音声情報により次の項目が指定されると、出力中の項目の計測数値情報を入力せずに次の項目のタイトル情報を出力する。
【選択図】図１【図１】
0006841948.tif 000002
【図２】
0006841948.tif 000003
【図３】
0006841948.tif 000004
【図４】
0006841948.tif 000005